(57)【要約】【課題】  トンネル防災装置における監視制御盤のイニシャルコストを安く抑えることができ、また、監視制御盤の印刷の製作期間を短縮することができるトンネル防災設備における監視制御盤およびその製造方法を提供することを目的とするものである。【解決手段】  トンネル防災設備における監視制御盤において、上記監視制御盤の筐体と、上記筐体に取り付けられている板金と、上記板金に貼り着けられているシートであって、グラフィックデータが直接印刷されているシートとを有するトンネル防災設備における監視制御盤である。【選択図】  図１
2006119861.tif 000002
【特許請求の範囲】
【請求項１】
設備における監視制御盤において、
上記監視制御盤の筐体と；
上記筐体に取り付けられている板金と；
上記板金に貼り着けられているシートであって、グラフィックデータが直接印刷されているシートと；
を有することを特徴とする監視制御盤。
【請求項２】
請求項１において、
上記シートは、上記板金に貼り着けられている面に、印刷されているシートであることを特徴とする監視制御盤。
【請求項３】
請求項１において、
上記シートが貼り着けられる板金は、所定の孔を具備している板金であり、上記シートで覆われている板金であることを特徴とする監視制御盤。
【請求項４】
設備における監視制御盤の製造方法において、
所定のパネルの外観に付すグラフィックデータを、パソコンで編集する編集工程と；
上記グラフィックデータを所定のシートに、プリンタで印刷する印刷工程と；
上記印刷されたシートを、所定の板金に貼り着けてパネルプレートとする貼着工程と；
上記パネルプレートを、上記監視制御盤の筐体に取り付ける組立工程と；
を有することを特徴とする監視制御盤の製造方法。
【発明の詳細な説明】
【技術分野】
【０００１】
本発明は、トンネル防災設備等における監視制御盤およびその製造方法に関する。
【背景技術】
【０００２】
表示部に隣接して配設されている筐体に、数字等の文字がシルク印刷されている入力指示部が知られている（たとえば、特許文献１参照）。
【０００３】
図４は、トンネル防災設備における従来の監視制御盤２００を示す断面図である。
【０００４】
図４は、上記特許文献１の具体的な内容を示す図であり、従来の監視制御盤２００は、図示しない筐体に塗装板金１２０が取り付けられ、塗装板金１２０に、直接シルク印刷が行われている。また、塗装板金１２０に透孔が設けられ、この透孔にＬＥＤ５０が取り付けられ、ＬＥＤ５０の頭部に、ＬＥＤホルダ５１が固着されている。
【０００５】
なお、シルク印刷が行われた塗装板金１２０は、防災受信盤にトンネル内の防災設備や配水系の情報を表示するためのグラフィックパネルや、スイッチ操作を行うためのスイッチプレートである。
【０００６】
図５は、従来の監視制御盤２００の製造方法を示すフローチャートである。
【０００７】
まず、グラフィックパネル等の図面を作成し（Ｓ１１）、その図面からシルク印刷用版を作成する（Ｓ１２）。そして、版を使用して板金１２０にシルク印刷し（Ｓ１３）、板金１２０を監視制御盤２００に取り付ける（Ｓ１４）。
【特許文献１】特開平６−３４８４１４号公報
【発明の開示】
【発明が解決しようとする課題】
【０００８】
しかし、上記従来例において、シルク印刷する場合、その印刷用の版を作成する必要があり、イニシャルコストが高いと言う問題があり、また、製作期間が長いという問題がある。さらに、一度版を作成すると、その後は、その版を変更することができないという問題がある。
【０００９】
本発明は、監視制御盤のイニシャルコストを安く抑えることができ、また、監視制御盤の印刷の製作期間を短縮することができる監視制御盤およびその製造方法を提供することを目的とするものである。
【課題を解決するための手段】
【００１０】
本発明は、設備における監視制御盤において、上記監視制御盤の筐体と、上記筐体に取り付けられている板金と、上記板金に貼り着けられているシートであって、グラフィックデータが直接印刷されているシートとを有することを特徴とするトンネル防災設備における監視制御盤である。
【発明の効果】
【００１１】
本発明によれば、ダイレクト印刷はシルク印刷のような版が不要であるので、イニシャルコストを安く抑えることができ、パソコンの図面データを直接印刷できるので、製作期間を短縮することができるという効果を奏する。
【００１２】
また、本発明によれば、印刷内容に変更があっても、版を変更するのではなく、パソコン上の図面データを変更するだけであるので、シルク印刷に比べると容易に変更することができるという効果を奏する。
【発明を実施するための最良の形態】
【００１３】
発明を実施するための最良の形態は、以下の実施例である。
【実施例１】
【００１４】
図１は、本発明の実施例１である監視制御盤１００のパネルプレート４０の断面図である。
【００１５】
監視制御盤１００は、トンネル防災設備における監視制御盤であり、図示しない筐体と、パネルプレート４０と、ＬＥＤ５０とを有する。
【００１６】
筐体は、外形が板金加工等されている監視制御盤１００の筐体であり、パネルプレート４０は、板金２０と、シート３０とを有する。
【００１７】
板金２０は、筐体に取り付けられている板金である。シート３０は、板金２０の表側に貼り着けられているシートであって、グラフィックデータが直接印刷されているシートである。
【００１８】
さらに、シート３０は、板金２０と貼着される貼着面ＳＦ１と、貼着面ＳＦ１と反対側の面である反貼着面ＳＦ２とを有し、貼着面ＳＦ１を印刷面として使用している。つまり、シート３０は、板金２０に貼り着けられている面に、印刷されているシートである。また、シート３０が貼り着けられる板金２０に、所定の孔２０ａを具備するようにしてもよい。この孔２０ａは、たとえばＬＥＤ５０や図示しない操作スイッチ等を設置する孔である。
【００１９】
次に、監視制御盤１００の製造方法について説明する。
【００２０】
図２は、監視制御盤１００の製造方法を示すフローチャートである。
【００２１】
まず、パネルプレート４０の外観に付すグラフィックデータを編集する（編集工程）（Ｓ１）。このときに、グラフィックデータの編集は、図示しないパソコンを用いて行われる。
【００２２】
次に、図示しないプリンタによって、グラフィックデータをシート３０に印刷する（印刷工程）（Ｓ２）。つまり、パソコンで製作した図面データを、インクジェットプリンタ等の要領でインクを、シート３０に直接印刷する。
【００２３】
印刷されたシート３０を、板金２０に貼り着けてパネルプレート４０とする（貼着工程）（Ｓ３）。
【００２４】
なお、上記貼着工程において、シート３０の印刷面を、板金２０に貼り着ける貼着面とする。また、上記貼着工程において、シート３０の印刷面に、保護膜を形成した（ラミネート加工した）後に、上記印刷面の反対面を板金２０に貼り着けるようにしてもよい。
【００２５】
なお、板金２０は、上記貼着工程の前に、シート３０が貼り着けられる板金２０に必要な孔２０ａを予め空けておかなければならない。
【００２６】
そして、印刷されたシート３０を板金２０に貼り着けたパネルプレート４０を、監視制御盤１００の筐体に取り付ける（組立工程）（Ｓ４）。つまり、監視制御盤１００の図示しない筐体に、情報表示用グラフィックパネル、操作用スイッチプレート等として、パネルプレート４０をねじ止め等によって取り付ける。
【００２７】
図３は、監視制御盤１００をトンネル防災設備の防災受信盤として用いる場合の操作用スイッチプレートとして構成した場合のパネルプレート４０を示す正面図である。
【００２８】
ここで、図３のＬＬ１〜ＬＬ２５と表示されている丸の部分やＬＩ、ＬＤ、ＬＳＲ等の長丸の部分には、板金２０に孔２０ａが形成され、シート３０の背面側にはＬＥＤ５０が配置され、ＳＩ、ＳＤ、ＳＲ等の４本線の部分には、板金２０に孔２０ａが形成され、シート３０の背面側には図示しないスイッチ部材が配置されている。
【００２９】
トンネル防災受信盤の情報表示用グラフィックパネル、操作用スイッチプレートの製作において、従来は、シルク印刷で製作しているが、実施例１によれば、印刷されたシート３０を板金２０に直接貼り着けるので、板金にシルク印刷する場合よりも、イニシャルコストを低減することができ、また、印刷内容を容易に変更することができる。
【００３０】
なお、この実施例１では、シート３０の印刷面が貼着面ＳＦ１とされて、外気に触れず色あせ等変色しにくくされているが、反貼着面ＳＦ２を印刷面とし、印刷が施された反貼着面ＳＦ２に保護膜を付着するようにしてもよい。つまり、シート３０の印刷面が、板金２０との貼着面と反対の面であり、この場合、印刷面に保護膜を付着するようにしてもよい。
【図面の簡単な説明】
【００３１】
【図１】本発明の実施例１である監視制御盤１００を示す断面図である。
【図２】監視制御盤１００の製造方法を示すフローチャートである。
【図３】監視制御盤１００のパネルプレート４０を示す正面図である。
【図４】トンネル防災設備における従来の監視制御盤２００を示す断面図である。
【図５】従来の監視制御盤２００の製造方法を示すフローチャートである。
【符号の説明】
【００３２】
１００…監視制御盤、
２０…板金、
３０…シート、
ＳＦ１…貼着面、
ＳＦ２…反貼着面、
４０…パネルプレート、
５０…ＬＥＤ。
【図１】
2006119861.tif 000003
【図２】
2006119861.tif 000004
【図３】
2006119861.tif 000005
【図４】
2006119861.tif 000006
【図５】
2006119861.tif 000007